(57)【特許請求の範囲】
【請求項１】
薬剤を含有しているバレル（１０）、
バレル（１０）の近位端（１２）近くに位置するフィンガーフランジ（３０）、及び
自己注射デバイス（６）の第二のコーディング機構（７、７ａ、７ｂ）との機械的相互作用のための第一のコーディング機構（２、２ａ、２ｂ）、その第一コーディング機構（２，２ａ，２ｂ）がフィンガーフランジ（３０）に位置している、
を含むシリンジであって、
ここで、第一のコーディング機構（２、２ａ、２ｂ）は、第一（２、２ａ、２ｂ）及び第二のコーディング機構（７、７ａ、７ｂ）が整合する場合にのみ、シリンジ（１）が第二のコーディング機構（７、７ａ、７ｂ）を有する自己注射デバイス（６）中に取付け可能であるように設計される、上記シリンジ。
【請求項２】
請求項１に記載のシリンジであって、
第一のコーディング機構（２、２ａ、２ｂ）が、リブ（２１、２１ａ、２１ｂ）、バー（２５）、ピン、突起、溝（２４）、スリット（２６）、ぎざぎざ、キー溝、段付直径及び角を成す平面のグループから選ばれる少なくとも一つの付属物を含む、上記シリンジ。
【請求項３】
請求項１又は２に記載のシリンジであって、
長手方向軸（ｌ）を有し、
ここで第一のコーディング機構（２、２ａ、２ｂ）が、長手方向軸に向かって伸びる複数のリブ（２１、２１ａ、２１ｂ）を含む、上記シリンジ。
【請求項４】
請求項３に記載のシリンジであって、
シリンジ（１）が、自己注射デバイス（６）内へのシリンジ（１）の取付け中に、シリンジ（１）の配向を規定する第一の配向機構（４ａ、４ｂ）を含む、上記シリンジ。
【請求項５】
自己注射デバイスであって：
請求項１〜４の何れか１項に記載のシリンジ（１）を取付けすることができるハウジング（６０、６０ａ、６０ｂ）；及び
シリンジ（１）の第一のコーディング機構（２、２ａ、２ｂ）との機械的相互作用のための第二のコーディング機構（７、７ａ、７ｂ）；
を含む、上記自己注射デバイス。
【請求項６】
請求項５に記載の自己注射デバイスであって、
第二のコーディング機構（７、７ａ、７ｂ）が、第二のコーディング機構（２、２ａ、２ｂ）と嵌め合う第一のコーディング機構を有するシリンジ（１）のみが自己注射デバイス（６）で完全に組立てられ得るように設計される、上記自己注射デバイス。
【請求項７】
請求項６に記載の自己注射デバイスであって、
第二のコーディング機構（７、７ａ、７ｂ）がシリンジ固定エレメント（８）の近くに位置する、上記自己注射デバイス。
【請求項８】
請求項５〜７の何れか１項に記載の自己注射デバイスであって、
第二のコーディング機構（７、７ａ、７ｂ）が、第二のコーディング機構（７、７ａ、７ｂ）と嵌め合う第一のコーディング機構（２、２ａ、２ｂ）を有するシリンジ（１）のみがハウジング（６０、６０ａ、６０ｂ）内に挿入され得るように設計される、上記自己注射デバイス。
【請求項９】
請求項８に記載の自己注射デバイスであって、
第二のコーディング機構（７、７ａ、７ｂ）がハウジング（６０、６０ａ、６０ｂ）の前端部（６１）近くに位置する、上記自己注射デバイス。
【請求項１０】
請求項９に記載の自己注射デバイスであって、
シリンジ（１）が交換可能である、上記自己注射デバイス。
【請求項１１】
請求項５〜１０の何れか１項に記載の少なくとも二つの自己注射デバイス、及び請求項１〜４の何れか１項に記載の少なくとも二つのシリンジのセットであって、
それぞれの第二のコーディング機構（７、７ａ、７ｂ）との機械的相互作用の故に、各シリンジ（１）が自己注射デバイス（６）の一方のみに取付け可能であるように、各シリンジ（１）に対して第一のコーディング機構（２、２ａ、２ｂ）が設計される、上記セット。
【請求項１２】
請求項１１に記載のセットであって、
各シリンジ（１）に対して、第一のコーディング機構（２、２ａ、２ｂ）が、シリンジ（１）中に含有された特定の薬剤をコード化する、上記セット。
【発明の詳細な説明】
【技術分野】
【０００１】
自己注射デバイスは、シリンジの手動使用に慣れていない、又は針で自らの皮膚を貫入することに嫌悪感を有する患者にとって、特に有用であり得る。自己注射デバイスを使用することにより、そのような課題が回避され得る。ここで、使用者は、皮膚内に針を駆動するための、そして薬剤を投与するための力を与えることが必要とされない。多くの自己注射デバイスにおいて、使用者は針を見る必要さえないであろう。
【０００２】
本開示は、自己注射デバイス中に取付けすることができるシリンジ、及び薬剤で事前に充填されたシリンジを取付けすることによって装填することができる再装填可能な自己注射デバイスに関する。薬剤が投与された後、シリンジは除くことができ、そして自己注射デバイスは新しいシリンジで装填することができる。
【背景技術】
【０００３】
特許文献１及び特許文献２は自己注射デバイスを開示する。特許文献３及び特許文献４は再装填可能な自己注射デバイスを開示する。
【０００４】
特許文献５は、後退可能な針を有する事前に充填されたシリンジを開示する。
【先行技術文献】
【特許文献】
【０００５】
【特許文献１】ＥＰ  １９３２５５８  Ａ１号明細書
【特許文献２】ＷＯ  ２００８／１０７６７０  Ａ２号明細書
【特許文献３】ＵＳ  ２００８／０１３２８３８  Ａ１号明細書
【特許文献４】ＵＳ  ６，０９９，５０３号明細書
【特許文献５】ＷＯ  ２００９／００３２３４  Ａ１号明細書
【発明の概要】
【０００６】
本発明の目的は自己注射デバイス中に取付けすることができるシリンジを供することであり、ここで間違ったシリンジが自己注射デバイス内に挿入されるリスクが最小化される。
【０００７】
この開示の第一の態様によると、自己注射デバイスの第二のコーディング機構との機械的相互作用のための第一のコーディング機構を含むシリンジが供される。第一のコーディング機構は、もし、第一の及び第二のコーディング機構が整合する（match）ならば、第二のコーディング機構のみを有する自己注射デバイス中にシリンジが取付け可能であるように設計される。
【０００８】
第一の及び第二のコーディング機構が整合するとき、第一の及び第二のコーディング機構の間の機械的相互作用によって、自己注射デバイス内へのシリンジの完全な取付けが可能になる。第一のコーディング機構と第二のコーディング機構の間の機械的相互作用の種類はコーディング機構の特定の設計に依存する。例として、自己注射デバイス中へシリンジを挿入する際、第一のコーディング機構は第二のコーディング機構内に確動的に嵌合し得る。他の実施態様において、第一のコーディング機構は第二のコーディング機構内に嵌合（fit）し得て、ここで第一のと第二のコーディング機構の間にギャップが存在する。
【０００９】
好ましい実施態様において、シリンジは薬剤を含有しているバレルを含む。好ましくは、シリンジは、それが使用者に手渡されるとき、薬剤で事前に充填される。そうすることによって、使用者がシリンジ内に薬剤を引き込むことを要求されないので、シリンジは使用するのが非常に簡単である。
【００１０】
バレルは、針が置かれる遠位端、及びプランジャーがバレル内に部分的に挿入される近位端を含み得る。薬剤はプランジャーをシリンジの遠位端に向かって動かすことによって投与することができて、それによって、薬剤がバレルから押し出される。
【００１１】
好ましくは、開示されたシリンジは、自己注射デバイスで使用することができるのみならず手動でも操作することができる。本明細書において、使用者は針で自らの皮膚を突き通し、そしてプランジャーの端部にあるボタンをシリンジの遠位端に向かって押し下げることによってプランジャーを動かす。好ましくは、使用者は自らの親指をプランジャーボタンの上に置き、そして力を行使する。行使された力に耐えるカウンターを有するために、そして使用者に投与手順の良好な制御を与えるために、シリンジはフィンガーフランジを有し得る。フィンガーフランジはシリンジでの襟状の突起であり得て、ここで使用者は、例えば、自らの人差し指及び中指を置くことができ、そうすることによって反力を作用させる。そのようなフィンガーフランジはシリンジバレルの近位端に置かれ得る。
【００１２】
好ましい実施態様において、第一のコーディング機構は、それがシリンジの手動操作を邪魔しないように、シリンジの上に置かれる。そうすることによって、開示されたシリンジは、手動操作のための及び自己注射デバイスを用いた操作のための両方で使用することができる。従って、シリンジの一つのタイプしか生産される必要がないので、製造コストが非常に低く保たれる。
【００１３】
一つの実施態様において、第一のコーディング機構は、薬剤を含有しているバレルに対して固定される。
【００１４】
好ましくは、バレルは、例えば、ガラス又はプラスチックのような硬い材料で作られる。この場合、バレルに固定された硬い第一のコーディング機構によって、非常に堅固で、従って信頼できるコーディングが達成され得る。バレル及びコーディング機構の剛直性故に、シリンジは、バレル又はコーディング機構の弾性変形によって、はめ込まない（non-mating）自己注射デバイス内に無理に押し込められ得ない。
【００１５】
第一のコーディング機構はバレルの一体部分であり得る。
【００１６】
好ましい実施態様において、第一のコーディング機構はバレルに取り付けられたエレメント上に置かれる。
【００１７】
本エレメントはプラッスチック材料で成形され得て、例えば、バレルに接着され得る。成形されたプラスチックエレメントにおいて、第一のコーディング機構は非常に容易に導入することができて、そのため安価なコーディング方法が達成することができる。
【００１８】
好ましい実施態様において、バレルに取り付けられたエレメントは、既に一定の機能を果たしているか、又は製造プロセス故に、手動で操作されるシリンジ中に存在する。この場合、追加のエレメントはシリンジに取り付けられる必要が全くない。
【００１９】
そのようなエレメントは、バレルの近位端近くに置かれたフィンガーフランジであり得る。第一のコーディング機構は、バレルの如何なる他の場所、例えば、バレルの遠位端に置いてもよい。特に、第一のコーディング機構は、シリンジを自己注射デバイス中に固定することを助けるエレメントに置いてもよい。また第一のコーディング機構はシリンジの長手方向軸に沿っても伸び得る。
【００２０】
第一のコーディング機構は、シリンジの異なる場所に置かれる幾つかのコーディング場所を含み得る。本明細書において、コーディングは全てのコーディング部分の協働によって達成され得る。
【００２１】
好ましくは、第一のコーディング機構は、シリンジを手動で操作するとき、使用者が気を散らされないように、又は邪魔さえされないように置かれ、そして設計される。
【００２２】
好ましくは、コーディング機構は、複数の薬物製品に対する個々のコードを供するための多くの可能なコーディング並べ換え（permutation）を提供する。
【００２３】
第一の態様において、第一のコーディング機構は、バレルに取り付けられたエレメント、又はバレルの一体部分であるエレメントの外寸によって簡単に供され得る。本明細書において、例えば、バレルに取り付けられた襟状のフィンガーフランジの外径は、第一のコーディング機構として働き得る。各々が異なる直径を有する複数のフィンガーフランジを供することにより、複数の薬物がコード化され得る。
【００２４】
好ましい実施態様において、第一のコーディング機構は、リブ、バー、ピン、突起、溝、ぎざぎざ、キー溝（castellation）、段付直径及び角度が付いた平面のグループから選ばれた少なくとも一つの付属品（attribute）を含む。付属品はシリンジの一体部分であり得るか又はシリンジに取り付けられたエレメントに置かれ得る。第一のコーディング機構は、数個の付属品、例えば、複数のリブ、又は、付属品の混合品、例えば、複数のリブ及びピンを含み得る。
【００２５】
自己注射デバイスの第二のコーディング機構は、シリンジが自己注射デバイス中に取付けされ得るとき、それが第一のコーディング機構と整合するように設計される。例として、もし第一のコーディング機構が、シリンジの特定の位置に置かれた複数のリブを含むならば、第二のコーディング機構は、自己注射デバイスでの対応する位置に複数の溝を含む。
【００２６】
一つの実施態様において、シリンジは長手方向軸を有し、ここで第一のコーディング機構は、長手方向軸に向かって伸びている複数のリブを含む。これは、シリンジが自己注射デバイスの前方端部又は後方端部から、そしてシリンジの長手方向軸に沿って自己注射デバイス内に挿入されるときに、特に有用であり得る。本明細書において、長手方向軸に沿って伸びている第一のコーディング機構及び第二のコーディング機構は、自己注射デバイス内へのシリンジの挿入を妨害しない。
【００２７】
他の実施態様において、シリンジは、自己注射デバイスの上側又は底側から、長手方向軸に対して直角な方向に沿って自己注射デバイス内に挿入され得る。そのような実施態様において、長手方向軸に対して直角に伸びているリブを含む第一のコーディング機構が有用であり得る。
【００２８】
一つの実施態様において、シリンジは、自己注射デバイス内へのシリンジの取付け中に、シリンジの配向を画成する配向機構を含む。
【００２９】
好ましくは、配向機構は、使用者がシリンジを自己注射デバイス中に正しい向きに挿入するために誘導されるように設計される。このように、使用者は、シリンジが或る自己注射デバイス内に取付け可能であるか又は取付け不可能であるかを自ら認識するまで、シリンジを捩じりそして幾つかの配向を試す必要はない。配向機構は、配向及びコーディングの二重の機能も有し得る。配向機構は第一のコーディング機構の部分又はそれと同じであり得る。
【００３０】
本開示の第二の態様によると、自己注射デバイスは、シリンジを取付けすることができるハウジング、及びシリンジの第一のコーディング機構との機械的相互作用のための第二のコーディング機構、を含む。
【００３１】
自己注射デバイスは、使用者が、薬剤を注射するための力を供する必要がないような注射機構を含む。本明細書において、自己注射デバイスの全ての可能な実施態様が使用され得る。例として、シリンジは自己注射デバイスの前側又は上側から取付けされ得る。自己注射デバイスは皮膚内に針を突き通して、そして薬剤を投与することをもたらす起動手段を有する。そのような起動手段は、シリンジの遠位端に向かってプランジャーを動かす、ばねであり得る。起動手段は、例えば、自己注射デバイスの後方端部でボタンを押し下げることによって、又は皮膚上に自己注射デバイスの前方端部を押しつけることによってトリガーされ得る。
【００３２】
好ましい実施態様において、第二のコーディング機構は、一致している第一のコーディング機構を有するシリンジのみが自己注射デバイスと完全に組立てることができるように定義（define）される。
【００３３】
第二のコーディング機構が第一のコーディング機構と一致しない場合、シリンジは、自己注射デバイス中に固定されることから防がれ得る。他の実施態様において、一致しない第二のコーディング機構は、間違ったシリンジが自己注射デバイス中に挿入された後、自己注射デバイスのハウジングが閉じられることを防ぎ得る。
【００３４】
第二のコーディング機構はシリンジ固定エレメントに置かれ得る。
【００３５】
そのようなエレメントは、ハウジングの内部部分での突起、例えば、戻り止めであり得る。本明細書において、第二のコーディング機構及び一致しない第一のコーディング機構の機械的相互作用によって、ハウジング内への部分的又は完全な挿入は防がれ得ない。しかしながら、機械的相互作用によって、ハウジング中のシリンジの固定が防がれる。シリンジの挿入又は固定を防ぐ代わりに、自己注射デバイスは機能することをロックアウトしそして拒否し得て、又は間違ったシリンジが挿入されたことを使用者に告げる伝言を表示し得る。
【００３６】
更なる実施態様において、第二のコーディング機構は、第二のコーディング機構と一致している第一のコーディング機構を有するシリンジのみがハウジング内に挿入することができるように設計され得る。
【００３７】
本明細書において、第一のコーディング機構及び一致しない第二のコーディング機構の機械的相互作用によって、シリンジがハウジング内に部分的にさえ挿入されることが防がれ得る。
【００３８】
第二のコーディング機構はハウジングの前方端部近くに位置する。
【００３９】
この場合、事前に充填されたシリンジと共に前方端部から装填することができる自己注射デバイスに対して、シリンジの部分的挿入が防ぐことができる。他の実施態様において、例えば、自己注射デバイスがハウジングの後方端部から装填されるとき、第二のコーディング機構はハウジングの後方端部に置かれ得る。
【００４０】
好ましくは、自己注射デバイスは、シリンジが交換可能であるように設計される。
【００４１】
そのような再装填可能な自己注射デバイスは数回使用することができて、そして一回のみの使用後に、処置される必要はない。これは高品質で高価な自己注射デバイスに対して特に有用であり得る。
【００４２】
更なる態様において、少なくとも二つの自己注射デバイス、及び少なくとも二つのシリンジのセットが供され、ここで自己注射デバイスのそれぞれの第二のコーディング機構との機械的相互作用の故に、各シリンジが自己注射デバイスの一方のみに取付け可能なように、各シリンジに対して第一のコーディング機構が設計される。
【００４３】
そうすることによって、特定の自己注射デバイスによって各々投与される数種の薬剤を必要としている使用者は、特定の薬剤を含有しているシリンジを正しい自己注射デバイス内に取付けするよう誘導される。各自己注射デバイスは、或る薬剤又は薬物の強度を投与するために専ら使用され得て、かつそれに従ってコーディングされ得る。例として、特定の薬剤をコード化している薬剤の名前又は色を自己注射デバイスで見ることができる。
【００４４】
好ましくは、各シリンジに対して、第一のコーディング機構は、シリンジ中に含有された特定の薬剤をコード化する。
【００４５】
例として、メーカーは、複数の薬剤から選択された薬剤で充填され得るシリンジを生産し得る。従って、各シリンジは、特別な薬剤に対して専ら使用される、そして複数の第一のコーディング機構から選択される第一のコーディング機構を含み得る。
【００４６】
別の実施態様において、薬物送達デバイスは薬剤を含む。薬剤はカートリッジ中に事前に充填され、又はもし薬物送達デバイスがシリンジとして設計されるならば、シリンジ中に事前に充填され得るであろう。
【００４７】
本明細書で使用する用語「薬剤」は、少なくとも１つの薬学的に活性な化合物を含む薬学的処方品を意味し、
ここで一実施態様において、薬学的に活性な化合物は、最大１５００Ｄａの分子量を有し、及び／又は、ペプチド、蛋白質、多糖類、ワクチン、ＤＮＡ、ＲＮＡ、抗体、酵素、抗体、ホルモン若しくはオリゴヌクレオチド、又は上述の薬学的に活性な化合物の混合物であり、
ここで、更なる実施態様において、薬学的に活性な化合物は、糖尿病、又は糖尿病性網膜症などの糖尿病関連の合併症、深部静脈又は肺血栓塞栓症、急性冠症候群（ＡＣＳ）、狭心症、心筋梗塞、癌、黄斑変性症、炎症、枯草熱、アテローム性動脈硬化症、及び／又は、リューマチ性関節炎などの血栓塞栓症の処置、及び／又は、予防に有用であり、
ここで、更なる実施態様において、薬学的に活性な化合物は、糖尿病、又は糖尿病性網膜症などの糖尿病に関連する合併症の処置、及び／又は、予防のため、少なくとも１つのペプチドを含み、
ここで、更なる実施態様において、薬学的に活性な化合物は、少なくとも１つのヒトインスリン、又はヒトインスリン類似体若しくは誘導体、グルカゴン様ペプチド（ＧＬＰ−１）、又はその類似体若しくは誘導体、又はエキセジン−３又はエキセジン−４、若しくはエキセジン−３又はエキセジン−４の類似体若しくは誘導体を含む。
【００４８】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここで、Ｂ２８位におけるプロリンは、Ａｓｐ、Ｌｙｓ、Ｌｅｕ、Ｖａｌ又はＡｌａで代替され、そして、Ｂ２９位において、Ｌｙｓは、Ｐｒｏで代替されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００４９】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；  Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）  ヒトインスリンである。
【００５０】
エキセンジン−４は、例えば、エキセンジン−４（１−３９）、配列ＨＨｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2のペプチドを意味する。
【００５１】
エキセンジン−４誘導体は、例えば、以下のリストの化合物：
Ｈ−（Ｌｙｓ）４−ｄｅｓＰｒｏ３６，ｄｅｓＰｒｏ３７エキセンジン−４（１−３９）−ＮＨ2、
Ｈ−（Ｌｙｓ）５−ｄｅｓＰｒｏ３６，ｄｅｓＰｒｏ３７エキセンジン−４（１−３９）−ＮＨ2、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−４（１−３９）、
ｄｅｓＰｒｏ３６［Ｔｒｐ（Ｏ２）２５，Ａｓｐ２８］エキセンジン−４（１−３９）、ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
ここで、基−Ｌｙｓ６−ＮＨ2は、エキセンジン−４誘導体のＣ−末端と結合してもよく；
【００５２】
又は以下の配列のエキセンジン−４誘導体；
Ｈ−（Ｌｙｓ）６−ｄｅｓＰｒｏ３６［Ａｓｐ２８］エキセンジン−４（１−３９）−Ｌｙｓ６−ＮＨ2、
ｄｅｓＡｓｐ２８，Ｐｒｏ３６，Ｐｒｏ３７，Ｐｒｏ３８エキセンジン−４（１−３９）−ＮＨ2、
Ｈ−（Ｌｙｓ）６−ｄｅｓＰｒｏ３６，Ｐｒｏ３８［Ａｓｐ２８］エキセンジン−４（１−３９）−ＮＨ2、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2、
ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ2、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ2、
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓ  Ｐｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2、
ｄｅｓＭｅｔ（Ｏ）１４，Ａｓｐ２８，Ｐｒｏ３６，Ｐｒｏ３７，Ｐｒｏ３８  エキセンジン−４（１−３９）−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−Ａｓｎ−（Ｇｌｕ）５，ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2、
Ｈ−Ｌｙｓ６−ｄｅｓＰｒｏ３６［Ｍｅｔ（Ｏ）１４，Ｔｒｐ（Ｏ２）２５，  Ａｓｐ２８］エキセンジン−４（１−３９）−Ｌｙｓ６−ＮＨ2、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2、
Ｈ−（Ｌｙｓ）６−ｄｅｓ  Ｐｒｏ３６，Ｐｒｏ３７，Ｐｒｏ３８［Ｍｅｔ（Ｏ）１４，Ａｓｐ２８］エキセンジン−４（１−３９）−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ2、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のエキセンジン−４誘導体のいずれか１つの薬学的に許容される塩若しくは溶媒和物；
から選択される。
【００５３】
ホルモンは、例えば、ゴナドトロピン（フォリトロピン、ルトロピン、、絨毛性ゴナドトロピン、メノトロピン）、ソマトロピン  （ソマトロピン）、デスモプレッシン、テルリプレッシン、ゴナドレリン、トリプトレリン、ロイプロレリン、ブセレリン、ナファレリン、ゴセレリンなどの、Rote Liste、２００８年版、５０章に表示されているような脳下垂体ホルモン又は視床下部ホルモン又は調整活性ペプチド及びそれらのアンタゴニストである。
【００５４】
多糖類としては、例えば、ヒアルロン酸、ヘパリン、低分子量ヘパリン、又は超低分子量ヘパリン、若しくはそれらの誘導体などのグルコアミノグリカン、又は上述の多糖類のスルホン化された、例えば、ポリスルホン化形態、及び／又は、薬学的に許容可能なそれらの塩がある。ポリスルホン化低分子量ヘパリンの薬学的に許容される塩の例としては、エノキサパリンナトリウム塩がある。
【００５５】
薬学的に許容される塩は、例えば、酸付加塩及び塩基塩がある。酸付加塩としては、例えば、ＨＣｌ又はＨＢｒ塩がある。塩基塩は、例えば、アルカリ又はアルカリ土類金属、例えば、Ｎａ+、又は、Ｋ+、又は、Ｃａ2+から選択されるカチオン、又は、アンモニウムイオンＮ+（Ｒ１）（Ｒ２）（Ｒ３）（Ｒ４）を有する塩であり、ここで、Ｒ１〜Ｒ４は互いに独立に、水素；場合により置換されたＣ１−Ｃ６アルキル基；場合により置換されたＣ２−Ｃ６アルケニル基；場合により置換されたＣ６−Ｃ１０アリール基、又は場合により置換されたＣ６−Ｃ１０ヘテロアリール基である。薬学的に許容される塩の更なる例は、“Remington's Pharmaceutical Sciences”17編、Alfonso R.Gennaro（編集），Mark
Publishing社，Easton, Pa., U.S.A.,1985 及び Encyclopedia of Pharmaceutical Technologyに記載されている。
【００５６】
薬学的に許容可能な溶媒和は、例えば、水和物である。
【００５７】
他の特長は、添付図面と関連して考慮されたとき、以下の詳細な記述から明らかになるであろう：
【図面の簡単な説明】
【００５８】
【図１】シリンジの模式的断面図である。
【図２】その中に取付けされたシリンジを有する自己注射デバイスの実施態様の模式的断面図である。
【図３Ａ】フィンガーフランジの斜視図である。
【図３Ｂ】フィンガーフランジの斜視図である。
【図４Ａ】フィンガーフランジに置かれた第一のコーディング機構の第一の実施態様の斜視図である。
【図４Ｂ】図４に記載の第一のコーディング機構に整合する自己注射デバイスのハウジングの内部部分に置かれた第二のコーディング機構の図である。
【図５Ａ】フィンガーフランジに置かれた第一のコーディング機構の第二の実施態様の斜視図である。
【図５Ｂ】図５Ａに記載の第一のコーディング機構に整合する自己注射デバイスのハウジングの内部部分に置かれた第二のコーディング機構の図である。
【図６Ａ】第一のコーディング機構を有するフィンガーフランジのセットの斜視図である。
【図６Ｂ】図６Ａに記載の第一のコーディング機構に整合する第二のコーディング機構を有する自己注射デバイスのハウジングの内部部分の図である。
【図７Ａ】フィンガーフランジに置かれた第一のコーディング機構の更なる実施態様の斜視図である。
【図７Ｂ】図７Ａに記載の第一のコーディング機構に整合する、自己注射デバイスのハウジングの内部部分に置かれた第二のコーディング機構の図である。
【図７Ｃ】図７Ｂに記載の自己注射デバイスのハウジング中に挿入された、図７Ａに従うフィンガーフランジの図である。
【図８】フィンガーフランジに置かれた第一のコーディング機構の更なる実施態様の斜視図である。
【図９】フィンガーフランジに置かれた第一のコーディング機構の更なる実施態様の斜視図である。
【図１０】フィンガーフランジに置かれた第一のコーディング機構の更なる実施態様の斜視図である。
【発明を実施するための形態】
【００５９】
図１において、液体薬剤、例えば、ヘパリンで事前に充填されたシリンジ１が示される。シリンジ１は、薬剤が保持されるバレル１０を含む。バレル１０は、シリンジ１の近位端１２から遠位端１１に伸びている長手方向軸ｌを有するガラスバレルである。その遠位端１１に、シリンジ１は針４を有する。その近位端１２に、シリンジ１は、バレル１０中に部分的に挿入されるプランジャー５を含む。プランジャー５はバレル１０の内部に配置されるプランジャー５２に固定される。
【００６０】
シリンジ１の手動操作において、プランジャー５は、ボタン５１を、例えば親指で押し下げることによって、シリンジの遠位端１１に向かってに向かって移動する。それにより、プランジャーシール５２はバレル１０の遠位端１１に向かって動き、それによって薬剤がバレル１０から押し出される。フィンガーフランジ３０はバレルに取り付けられ、その結果、使用者によってプランジャー５上にかけられた力に耐えるカウンターが与えられる。プランジャー５１を使用者の親指で押し下げるとき、使用者はバレル１０がこれらの指の間に置かれ、そして反力を発揮するように、使用者の人差し指及び中指をフィンガーフランジ３０の底面３２に置くことができる。
【００６１】
フィンガーフランジ３０はバレル１０に取り付けられるエレメント３である。それはバレル１０に接着された又はクリップされた成形されたプラスチックエレメントであり得る。そのようなエレメント３は、更なる機能、例えば、特許文献５において述べられた通り、薬剤が投与された後に針の後退をトリガーする開放リングの機能も有し得る。シリンジはフィンガーフランジ３０に置かれる第一のコーディング機構２を含む。
【００６２】
図２は、図１に置いて示された通りのシリンジ１が取付けされる自己注射デバイス６を示す。自己注射デバイス６は、シリンジ１が保持されるハウジング６０を含む。シリンジ１は自己注射デバイス６中の固定エレメント８によって固定される。使用者が用量を投与することを望むとき、使用者は自らの皮膚上に自己注射デバイス６を押し付け、そして場合により（本明細書には示されていない）ボタンを押し下げ、そのことによって起動手段６４がトリガーされる。起動手段６４によって、針４は前方に動かされ、そして自己注射デバイス６の前方端部６１で膜６３に穴をあける。更に、起動手段６４によって、プランジャー５はシリンジ１の遠位端１１に向かって動かされ、そうすることによって薬剤がバレル１０から押し出される。簡明を期すために、起動手段６４及び固定エレメント８の更なる詳細は本図には示されない。
【００６３】
自己注射デバイス６は固定手段８の近くに位置する第二のコーディング機構７を含む。そうすることによって、シリンジ１は、もし第二のコーディング機構７が第一のコーディング機構２と整合するならば、自己注射デバイス６中にのみ固定することができる。第二のコーディング機構７が第一のコーディング機構２と一致しない場合、シリンジ１及び自己注射デバイス６の完全組立は防がれるであろう。
【００６４】
コーディングのタイプは、本明細書に示されたようなシリンジ及び自己注射デバイスに限定されない。例として、シリンジは二重チャンバーを有し得る。更に、注射針はキャップされ得て、そしてキャップ外しデバイスが自己注射デバイス内に構築され得る。これは再使用可能な自己注射器において特に有用であり得る。
【００６５】
図３Ａ及び３Ｂは、図１及び２において示された通りのシリンジ１の近位端１２に取り付けられたフィンガーフランジの斜視図を示す。本図において、第一のコーディング機構２に適する面が確認される。フィンガーフランジ３０が特許文献５において示された通りの開放リングとしても働く場合、フィンガーフランジ３０の幾つかの外面はプランジャー５の部分によって覆われ得て、そのようにして外側から必ずしもアクセス可能ではない。フィンガーフランジ３０は、同心円的に配置される内部円筒状セクション３２ａ及び外部円筒状セクション３２ｂを含む。内部円筒状セクション３２ａは外部円筒状セクション３２ｂより小さな直径を有し、そしてスペース３２ｃは、内部円筒状セクション３２ａと外部円筒状セクション３２ｂの間のフィンガーフランジ３０の底面３２からアクセスできる。
【００６６】
好ましくは、第一のコーディング機構２は、外側から常にアクセス可能で、そしてシリンジ１を手動で操作するとき、使用者を邪魔したり気を散らさせたりしないフィンガーフランジ３０の一部に置かれる。そのような適当な面は、例えば、シリンジの長手方向軸ｌから離れて面している側面３３である。更に、フィンガーフランジ３０の上面３１の部分も第一のコーディング機構２に対して好適であり得る。それに加えて、第一のコーディング機構２は内部円筒状セクション３２ａと外部円筒状セクション３２ｂの間のスペース３２ｃ中に置かれ得る。そのような第一のコーディング機構２は、内部円筒状セクション３２ａから外部円筒状セクション３２ｂに伸びていて、幅と高さが変えられるプラスチックウエブであり得る。第一のコーディング機構２のその付属品の代わりに又はそれに加えて、フィンガーフランジ３０の底面３２に、例えば、突起又はぎざぎざが置かれ得る。
【００６７】
図４Ａは、フィンガーフランジ３０の側面３３に置かれた幾つかのリブ２１を含む第一のコーディング機構２を有するフィンガーフランジ３０を示す。リブ２１はバレル１０の長手方向軸ｌに沿って伸び、そして長手方向軸ｌの周りの特定の角度を有するスペースに配置される。
【００６８】
図４Ｂは、図４において示された通りの第一のコーディング機構に整合する第二のコーディング機構７を有する自己注射デバイス６のハウジング６０の内部部分を示す。コーディング機構７は、第一のコーディング機構２の位置に対応する位置に配置される幾つかの溝７１を含む。第二のコーディング機構７は、第一のコーディング機構２が第二のコーディング機構７と整合するとき、シリンジ１がハウジング６０内にのみ挿入することができるように、ハウジング６０の前方端部６１から伸びる。そうすることによって、間違ったシリンジ１の挿入が防がれる。
【００６９】
別の実施態様において、フィンガーフランジ３０及びハウジング６０の周辺の周りの変化し得る角度の位置で、多くのリブ２１及び溝７１が供される。そうすることによって、利用可能なコーディング並べ換えの数を著しく増やすことができる。
【００７０】
図５Ａは、フィンガーフランジ３０の上面３１に置かれたリブ２１を含む第一のコーディング機構２を有するフィンガーフランジ３０の第二の実施態様を示す。
【００７１】
図５Ｂは、シリンジ固定エレメント８に置かれたスリット７２を含むはめ込み（mating）第二のコーディング機構７を有するハウジング６０の内部部分を示す。そのような第二のコーディング機構７によって、はめ込まれていない第一のコーディング機構２を有するシリンジ１の完全な組立を防ぐことができて、一方、自己注射デバイス６中へのそのようなシリンジ１の部分的な挿入が可能になる。
【００７２】
図６Ａは、各々第一のコーディング機構２ａ、２ｂを含むフィンガーフランジ３０ａ、３０ｂのセットを示す。各第一のコーディング機構２ａ、２ｂはフィンガーフランジ３０ａ、３０ｂの側面３３ａ、３３ｂに置かれたリブ２１ａ、２１ｂを含む。リブ２１ａ、２１ｂの配置はフィンガーフランジ３０ａ、３０ｂの間で異なり、それによって第一のコーディング機構２ａ、２ｂのコーディング機能が達成される。第一のフィンガーフランジ３０ａにおいて、リブ２１ａの角度スペースは第二のフィンガーフランジ３０ｂのリブ２１ｂに対するものより小さい。更に、各フィンガーフランジ３０ａ、３０ｂは第一の配向機構４ａ、４ｂを含み、それによって使用者は容易に、シリンジ１を自己注射デバイス６中に挿入するとき、自己注射デバイス６に対するシリンジ１の正しい配向を認識する。第一の配向機構４ａ、４ｂは、第一のコーディング機構２ａ、２ｂのリブ２１ａ、２１ｂより大きな断面を有するリブである。
【００７３】
図６Ｂは、自己注射デバイス６ａ、６ｂのハウジング６０ａ、６０ｂの内部部分に置かれた第二のコーディング機構７ａ、７ｂのセットを示す。本明細書において、第一の自己注射デバイス６ａの第二のコーディング機構７ａは、図６Ａにおいて示された第一のフィンガーフランジ３０ａの第一のコーディング機構７ａに一致している溝７１ａを含む。第二の自己注射デバイス６ｂの第二のコーディング機構７ｂは、図６Ａにおいて示された第二のフィンガーフランジ３０ｂの第一のコーディング機構２ｂに一致している溝７１ｂを含む。ハウジング６０ａ、ｂは、図６Ａにおいて示された第一の配向機構４ａ、４ｂに整合する第二の配向機構９ａ、９ｂを含む。
【００７４】
自己注射デバイス６ａ、６ｂの一つにおいて、図６Ａにおいて示されたフィンガーフランジ３０ａ、３０ｂの一つを有するシリンジ１を挿入しようとするとき、使用者は最初に第一の配向機構４ａ、４ｂ及び第二の配向機構９ａ、９ｂを並べるであろう。次いで、使用者は即座に第一のコーディング機構２ａ、２ｂが第二のコーディング機構９ａ、９ｂと整合するか否かを認識し、その結果、シリンジ１が或る自己注射デバイス６ａ、６ｂに取付け可能であるか否かを認識する。
【００７５】
図７Ａは第一のコーディング機構２及び第一の配向機構４を有するフィンガーフランジ３０の更なる実施態様を示す。第一のコーディング機構２は、フィンガーフランジ３０の側面３３に置かれた溝２４を含む。コーディング機能は溝２４の数及び角度分布によって供される。更に、フィンガーフランジ３０の側面３３に、長手方向軸ｌに沿って伸びているリブの形態の第一の配向機構４が置かれる。
【００７６】
溝２４の数及び角度分布を変えることによって、各々が特定の薬物製品に対する特定のコードを有する複数のフィンガーフランジ３０を供することができる。薬物製品で事前に充填されたシリンジにコード化されたフィンガーフランジ３０を取り付けることによって、シリンジのコーディングを達成することができる。
【００７７】
図７Ｂは、図７Ａに記載のフィンガーフランジ３０の第一のコーディング機構２に整合する、第二のコーディング機構７を有する自己注射デバイス６のハウジング６０を示す。第二のコーディング機構７は、ハウジング６０の内部部分の前方端部６１からその後方端部６２に向かって伸びている複数のリブ７６を含む。更に、ハウジング６は、フィンガーフランジ３０の第一の配向機構４と整合する第二の配向機構９を含む。第二の配向機構９は溝の形態を有し、その中に第一の配向機構４のリブを収容することができる。
【００７８】
図７Ｃは、図７Ｂに記載の自己注射デバイスのハウジング中に挿入された、図７Ａに記載のフィンガーフランジ３０を示す。フィンガーフランジ３０はシリンジバレル１０の近位端１２に取り付けられる。簡明を期すために、本図においてシリンジ１は示されない。
【００７９】
図８は、第一のコーディング機構２及び第一の配向機構４を有するフィンガーフランジ３０の更なる実施態様を示す。第一のコーディング機構２は、フィンガーフランジ３０の最上面３１に置かれた幾つかの溝２４を含む。コーディング機能は溝２４の数及び角度分布によって供される。更に、フィンガーフランジ３０の側面３３に、長手方向軸ｌに沿って伸びているリブの形態の第一の配向機構４が置かれる。
【００８０】
好ましくは、溝２４の角度分布又は数が異なっている複数のフィンガーフランジ３０が供され、それによって各第一のコーディング機構２は特定の薬物製品をコード化する。
【００８１】
図９は、第一のコーディング機構２及び第一の配向機構４を有するフィンガーフランジ３０の更なる実施態様を示す。第一のコーディング機構２は、内部円筒状セクション３２ａと外部円筒状セクション３２ｂの間のスペース３２ｃに置かれた幾つかのバー２５を含む。バー２５は内部円筒状セクション３２ａから外部円筒状セクション３２ｂに向かって伸びる。コーディング機能はバー２５の数及び角度分布によって供される。更に、フィンガーフランジ３０の側面３３に、長手方向軸ｌに沿って伸びているリブの形態の第一の配向機構４が置かれる。
【００８２】
好ましくは、バー２５の角度分布又は数が異なっている複数のフィンガーフランジ３０が供され、それによって各第一のコーディング機構２は特定の薬物製品をコード化する。同様に、第二のコーディング機構７を有する複数の自己注射デバイス６が供され、それによって各第二のコーディング機構７は特定の薬物製品をコード化する。特定の薬物製品を含有するシリンジ１にフィンガーフランジ３０を取り付けることによって、もし第一のコーディング機構２及び第二のコーディング機構７が整合する場合にのみシリンジ１が自己注射デバイス６中に取付け可能であるように、シリンジ１と自己注射デバイス６の間のマッピングが達成することができる。
【００８３】
図１０は、第一のコーディング機構２及び第一の配向機構４を有するフィンガーフランジ３０の更なる実施態様示す。第一のコーディング機構２は外部円筒状セクション３２ｂの底面３２に置かれた幾つかのスリット２６を含む。コーディング機能はスリット２６の数及び角度分布によって供される。更に、フィンガーフランジ３０の側面３３に、長手方向軸ｌに沿って伸びているリブの形態の第一の配向機構４が置かれる。
【００８４】
好ましくは、スリット２６の角度分布又は数が異なっている複数のフィンガーフランジ３０が供され、それによって各第一のコーディング機構２は特定の薬物製品をコード化する。
【符号の説明】
【００８５】
１シリンジ
１０バレル
１１遠位端
１２近位端
１３針
２、２ａ、２ｂ第一のコーディング機構
２１、２１ａ、２１ｂリブ
２４溝
２５バー
２６スリット
３エレメント
３０フィンガーフランジ
３１上面
３２底面
３２ａ内部円筒状セクション
３２ｂ外部円筒状セクション
３２ｃ円筒状セクションの間のスペース
３３、３３ａ、３３ｂ、３３ｂ側面
４、４ａ、４ｂ第一の配向機構
５プランジャー
５１ボタン
５２プランジャーシール
６、６ａ、６ｂ自己注射デバイス
６０、６０ａ、６０ｂハウジング
６１前方端部
６２後方端部
６３膜
６４起動手段
７、７ａ、７ｂ第二のコーディング機構
７１、７１ａ、７１ｂ溝
７２スリット
７６リブ
８固定エレメント
９、９ａ、９ｂ第二の配向機構
ｌ  長手方向軸
【図１】
0005570534.tif 000002
【図２】
0005570534.tif 000003
【図３Ａ】
0005570534.tif 000004
【図３Ｂ】
0005570534.tif 000005
【図４Ａ】
0005570534.tif 000006
【図４Ｂ】
0005570534.tif 000007
【図５Ａ】
0005570534.tif 000008
【図５Ｂ】
0005570534.tif 000009
【図６Ａ】
0005570534.tif 000010
【図６Ｂ】
0005570534.tif 000011
【図７Ａ】
0005570534.tif 000012
【図７Ｂ】
0005570534.tif 000013
【図７Ｃ】
0005570534.tif 000014
【図８】
0005570534.tif 000015
【図９】
0005570534.tif 000016
【図１０】
0005570534.tif 000017